(57)【要約】【解決手段】本発明は、Ｓ１ＡＰシグナリング伝送方法及び装置を開示し、当該方法は、インテリジェントなモバイルエッジ装置は、スモールセルから端末のアップリンクＳ１ＡＰシグナリングが含まれるＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信するステップと、インテリジェントなモバイルエッジ装置は、通信事業者ネットワークのＨｅ−ＧＷから、端末のダウンリンクＳ１ＡＰシグナリングが含まれるＳＣＴＰメッセージを受信し、かつ、ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信するステップとを備える。こうして、スモールセルは、複数の通信事業者のネットワークにアクセスして、異なる通信事業者の端末のためにネットワークサービスを提供することができるようになる。【選択図】図２
2019519170.tif 000002
【特許請求の範囲】
【請求項１】
インテリジェントなモバイルエッジ装置は、スモールセルスモールセルより送信された端末のアップリンクＳ１ＡＰシグナリングが含まれるストリーム制御伝送プロトコルＳＣＴＰメッセージを受信し、前記アップリンクＳ１ＡＰシグナリングに含まれるＳ１アクセスポイント識別子Ｓ１ＡＰ ＩＤ識別子に基づき、前記端末に対応する通信事業者ネットワークを決定し、また、前記アップリンクＳ１ＡＰ シグナリングが含まれるＳＣＴＰメッセージを、前記通信事業者ネットワークのシグナリングゲートウェイＨｅ−ＧＷに送信するステップと、
インテリジェントなモバイルエッジ装置は、前記通信事業者ネットワークのＨｅ−ＧＷから前記端末のダウンリンクＳ１ＡＰシグナリングが含まれるＳＣＴＰメッセージを受信し、前記ダウンリンクＳ１ＡＰシグナリングに含まれるＳ１ＡＰ ＩＤ識別子に基づき、前記端末に対応するスモールセルを決定し、また、前記ダウンリンクＳ１ＡＰシグナリングが含まれるＳＣＴＰメッセージを前記スモールセルに送信するステップとを備えることを特徴とするＳ１アプリケーションプロトコル（Ｓ１ＡＰ）シグナリング伝送方法。
【請求項２】
前記アップリンクＳ１ＡＰシグナリングに含まれるＳ１ＡＰ識別子に基づき、前記端末に対応する通信事業者ネットワークを決定する場合、
インテリジェントなモバイルエッジ装置は、前記スモールセルより送信された前記端末の第１アップリンクＳ１ＡＰシグナリングが含まれるＳＣＴＰメッセージに基づき、前記端末に対応する通信事業者情報を取得し、前記第１アップリンクＳ１ＡＰシグナリングに、前記スモールセルにより前記端末に割り当てられた第１Ｓ１ＡＰ ＩＤが含まれ、前記第１Ｓ１ＡＰ ＩＤに前記端末に対応する通信事業者情報が含まれることを特徴とする請求項１に記載のＳ１アプリケーションプロトコル（Ｓ１ＡＰ）シグナリング伝送方法。
【請求項３】
前記アップリンクＳ１ＡＰシグナリングに含まれるＳ１ＡＰ ＩＤ識別子に基づき、前記端末に対応する通信事業者ネットワークを決定し、また、前記アップリンクＳ１ＡＰ シグナリングが含まれるＳＣＴＰメッセージを前記通信事業者ネットワークのＨｅ−ＧＷに送信する場合、
インテリジェントなモバイルエッジ装置は、前記第１Ｓ１ＡＰ ＩＤに基づき、Ｓ１ＡＰ ＩＤのマッピング関係を確立し、かつ、前記Ｓ１ＡＰ ＩＤのマッピング関係情報に基づき、前記アップリンクＳ１ＡＰ シグナリングが含まれるＳＣＴＰメッセージを前記通信事業者ネットワークのＨｅ−ＧＷに送信し、
前記ダウンリンクＳ１ＡＰシグナリングに含まれるＳ１ＡＰ ＩＤ識別子に基づき、前記端末に対応するスモールセルを決定し、また、前記ダウンリンクＳ１ＡＰシグナリングが含まれるＳＣＴＰメッセージを前記スモールセルに送信する場合、
インテリジェントなモバイルエッジ装置は、前記ダウンリンクＳ１ＡＰシグナリングに含まれるＳ１ＡＰ ＩＤ識別子に基づき、前記Ｓ１ＡＰ ＩＤのマッピング関係を調整し、かつ調整後のＳ１ＡＰ ＩＤのマッピング関係に基づき、前記端末に対応するスモールセルを決定し、また、前記ダウンリンクＳ１ＡＰシグナリングが含まれるＳＣＴＰメッセージを前記スモールセルに送信することを特徴とする請求項２に記載のＳ１アプリケーションプロトコル（Ｓ１ＡＰ）シグナリング伝送方法。
【請求項４】
インテリジェントなモバイルエッジ装置は、前記第１Ｓ１ＡＰ ＩＤに基づき、Ｓ１ＡＰ ＩＤのマッピング関係情報を確立し、かつ、前記Ｓ１ＡＰ ＩＤのマッピング関係情報に基づき、前記アップリンクＳ１ＡＰ シグナリングが含まれるＳＣＴＰメッセージを前記通信事業者ネットワークのＨｅ−ＧＷに送信する場合、
インテリジェントなモバイルエッジ装置は、前記端末に第２Ｓ１ＡＰ ＩＤを割り当て、前記第２Ｓ１ＡＰ ＩＤは、インテリジェントなモバイルエッジ装置が、所管のスモールセルにおいて前記端末に唯一の識別子を割り当てられたものであり、
インテリジェントなモバイルエッジ装置は、前記第１Ｓ１ＡＰ ＩＤ及び前記第２Ｓ１ＡＰ ＩＤに基づき、Ｓ１ＡＰ ＩＤのマッピング関係を確立し、
インテリジェントなモバイルエッジ装置は、前記Ｓ１ＡＰ ＩＤのマッピング関係及び前記通信事業者情報に基づき、前記通信事業者ネットワークのＨｅ−ＧＷに、前記端末の第２アップリンクＳ１ＡＰシグナリングが含まれるＳＣＴＰメッセージを送信し、前記第２アップリンクＳ１ＡＰシグナリングに前記第２Ｓ１ＡＰ ＩＤが含まれることを特徴とする請求項３に記載のＳ１アプリケーションプロトコル（Ｓ１ＡＰ）シグナリング伝送方法。
【請求項５】
インテリジェントなモバイルエッジ装置は、前記ダウンリンクＳ１ＡＰシグナリングに含まれるＳ１ＡＰ ＩＤ識別子に基づき、前記Ｓ１ＡＰ ＩＤのマッピング関係を調整し、かつ調整後のＳ１ＡＰ ＩＤのマッピング関係に基づき、前記端末に対応するスモールセルを決定し、また、前記ダウンリンクＳ１ＡＰシグナリングが含まれるＳＣＴＰメッセージを前記スモールセルに送信する場合、
インテリジェントなモバイルエッジ装置は、前記端末の第１ダウンリンクＳ１ＡＰシグナリングが含まれるＳＣＴＰメッセージを受信し、前記第１ダウンリンクＳ１ＡＰシグナリングが含まれるＳＣＴＰメッセージは、前記通信事業者ネットワークのＨｅ−ＧＷが前記第２アップリンクＳ１ＡＰシグナリングが含まれるＳＣＴＰメッセージに基づいて返送されたメッセージであり、前記第１ダウンリンクＳ１ＡＰシグナリングに前記第２Ｓ１ＡＰ ＩＤ及び第３Ｓ１ＡＰ ＩＤが含まれ、前記第３Ｓ１ＡＰ ＩＤは、前記通信事業者ネットワークのＨｅ−ＧＷが前記端末に割り当てられたものであり、
インテリジェントなモバイルエッジ装置は、前記端末に第４Ｓ１ＡＰ ＩＤを割り当て、
インテリジェントなモバイルエッジ装置は、前記第１Ｓ１ＡＰ ＩＤ、前記第２Ｓ１ＡＰ ＩＤ、前記第３Ｓ１ＡＰ ＩＤ及び前記第４Ｓ１ＡＰ ＩＤに基づき、前記マッピング関係情報を調整し、
インテリジェントなモバイルエッジ装置は、前記第２Ｓ１ＡＰ ＩＤに基づき、前記端末に対応する前記スモールセルを決定し、
インテリジェントなモバイルエッジ装置は、調整後の前記マッピング関係に基づき、前記スモールセルに前記端末の第２ダウンリンクＳ１ＡＰシグナリングが含まれるＳＣＴＰメッセージを送信し、前記第２ダウンリンクＳ１ＡＰシグナリングに前記第４Ｓ１ＡＰ ＩＤ及び前記第１Ｓ１ＡＰ ＩＤが含まれることを特徴とする請求項４に記載のＳ１アプリケーションプロトコル（Ｓ１ＡＰ）シグナリング伝送方法。
【請求項６】
インテリジェントなモバイルエッジ装置は、スモールセルより送信された端末のアップリンクＳ１ＡＰ シグナリングが含まれるＳＣＴＰメッセージを受信し、かつ、前記アップリンクＳ１ＡＰシグナリングに含まれるＳ１ＡＰ ＩＤ識別子に基づき、前記端末に対応する通信事業者ネットワークを決定し、また、前記アップリンクＳ１ＡＰ シグナリングが含まれるＳＣＴＰメッセージを前記通信事業者ネットワークのＨｅ−ＧＷに送信する場合、
インテリジェントなモバイルエッジ装置は、前記スモールセルより送信された含有前記第１Ｓ１ＡＰ ＩＤ及び前記第４Ｓ１ＡＰ ＩＤが含まれるアップリンクＳ１ＡＰ シグナリングを有するＳＣＴＰメッセージを受信し、
インテリジェントなモバイルエッジ装置は、前記第１Ｓ１ＡＩＰ ＩＤ及び前記Ｓ１ＡＰ ＩＤのマッピング関係情報に基づき、前記第２Ｓ１ＡＰ ＩＤ及び前記第３Ｓ１ＡＰ ＩＤを決定し、前記第２Ｓ１ＡＰ ＩＤ及び前記第３Ｓ１ＡＰ ＩＤが含まれるアップリンクＳ１ＡＰ シグナリングを有するＳＣＴＰメッセージは、前記通信事業者ネットワークのＨｅ−ＧＷに送信することを特徴とする請求項５に記載のＳ１アプリケーションプロトコル（Ｓ１ＡＰ）シグナリング伝送方法。
【請求項７】
インテリジェントなモバイルエッジ装置は、前記通信事業者ネットワークのＨｅ−ＧＷから前記端末のダウンリンクＳ１ＡＰシグナリングが含まれるＳＣＴＰメッセージを受信し、また、前記ダウンリンクＳ１ＡＰシグナリングに含まれるＳ１ＡＰ識別子に基づき、前記スモールセルを決定し、また、前記ダウンリンクＳ１ＡＰシグナリングが含まれるＳＣＴＰメッセージを前記スモールセルに送信する場合、
インテリジェントなモバイルエッジ装置は、前記通信事業者ネットワークのＨｅ−ＧＷから、前記第２Ｓ１ＡＰ ＩＤ及び前記第３Ｓ１ＡＰ ＩＤが含まれるダウンリンクＳ１ＡＰシグナリングを有するＳＣＴＰメッセージを受信し、
インテリジェントなモバイルエッジ装置は、前記第２Ｓ１ＡＩＰ ＩＤ及び前記Ｓ１ＡＰ ＩＤのマッピング関係情報に基づき、前記第１Ｓ１ＡＰ ＩＤ及び前記第４Ｓ１ＡＰ ＩＤを決定し、前記第１Ｓ１ＡＰ ＩＤ及び前記第４Ｓ１ＡＰ ＩＤが含まれる前記ダウンリンクＳ１ＡＰシグナリングを有するＳＣＴＰメッセージを、前記スモールセルに送信することを特徴とする請求項５または請求項６に記載のＳ１アプリケーションプロトコル（Ｓ１ＡＰ）シグナリング伝送方法。
【請求項８】
スモールセルより送信された端末のアップリンクＳ１ＡＰシグナリングが含まれるＳＣＴＰメッセージを受信し、前記アップリンクＳ１ＡＰシグナリングに含まれるＳ１アクセスポイント識別子Ｓ１ＡＰ ＩＤ識別子に基づき、前記端末に対応する通信事業者ネットワークを決定し、また、前記アップリンクＳ１ＡＰ シグナリングが含まれるＳＣＴＰメッセージを前記通信事業者ネットワークのＨｅ−ＧＷに送信する請求ユニットと、
前記通信事業者ネットワークのＨｅ−ＧＷから前記端末のダウンリンクＳ１ＡＰシグナリングが含まれるＳＣＴＰメッセージを受信し、前記ダウンリンクＳ１ＡＰシグナリングに含まれるＳ１ＡＰ ＩＤ識別子に基づき、前記端末に対応するスモールセルを決定し、また、前記ダウンリンクＳ１ＡＰシグナリングが含まれるＳＣＴＰメッセージを前記スモールセルに送信する応答ユニットとを備えることを特徴とするＳ１アプリケーションプロトコル（Ｓ１ＡＰ）シグナリング伝送装置。
【請求項９】
前記アップリンクＳ１ＡＰシグナリングに含まれるＳ１ＡＰ識別子に基づき、前記端末に対応する通信事業者ネットワークを決定する場合、前記請求ユニットは、
前記スモールセルより送信された前記端末の第１アップリンクＳ１ＡＰシグナリングが含まれるＳＣＴＰメッセージに基づき、前記端末に対応する通信事業者情報を取得し、前記第１アップリンクＳ１ＡＰシグナリングに、前記スモールセルにより前記端末に割り当てられた第１Ｓ１ＡＰ ＩＤが含まれ、前記第１Ｓ１ＡＰ ＩＤに前記端末に対応する通信事業者情報が含まれることを特徴とする請求項８に記載のＳ１アプリケーションプロトコル（Ｓ１ＡＰ）シグナリング伝送装置。
【請求項１０】
前記アップリンクＳ１ＡＰシグナリングに含まれるＳ１ＡＰ ＩＤ識別子に基づき、前記端末に対応する通信事業者ネットワークを決定し、前記アップリンクＳ１ＡＰ シグナリングが含まれるＳＣＴＰメッセージを前記通信事業者ネットワークのＨｅ−ＧＷに送信する場合、前記請求ユニットは、
前記第１Ｓ１ＡＰ ＩＤに基づき、Ｓ１ＡＰ ＩＤのマッピング関係を確立し、かつ、前記Ｓ１ＡＰ ＩＤのマッピング関係情報に基づき、前記アップリンクＳ１ＡＰ シグナリングが含まれるＳＣＴＰメッセージを前記通信事業者ネットワークのＨｅ−ＧＷに送信しし、
前記ダウンリンクＳ１ＡＰシグナリングに含まれるＳ１ＡＰ ＩＤ識別子に基づき、前記端末に対応するスモールセルを決定し、また、前記ダウンリンクＳ１ＡＰシグナリングが含まれるＳＣＴＰメッセージを前記スモールセルに送信する場合、
前記ダウンリンクＳ１ＡＰシグナリングに含まれるＳ１ＡＰ ＩＤ識別子に基づき、前記Ｓ１ＡＰ ＩＤのマッピング関係を調整し、かつ調整後のＳ１ＡＰ ＩＤのマッピング関係に基づき、前記端末に対応するスモールセルを決定し、また、前記ダウンリンクＳ１ＡＰシグナリングが含まれるＳＣＴＰメッセージを前記スモールセルに送信することを特徴とする請求項９に記載のＳ１アプリケーションプロトコル（Ｓ１ＡＰ）シグナリング伝送装置。
【請求項１１】
前記第１Ｓ１ＡＰ ＩＤに基づき、Ｓ１ＡＰ ＩＤのマッピング関係情報を確立し、かつ、前記Ｓ１ＡＰ ＩＤのマッピング関係情報に基づき、前記アップリンクＳ１ＡＰ シグナリングが含まれるＳＣＴＰメッセージを前記通信事業者ネットワークのＨｅ−ＧＷに送信する場合、前記請求ユニットは、
前記端末のために第２Ｓ１ＡＰ ＩＤを割り当て、前記第２Ｓ１ＡＰ ＩＤは、インテリジェントなモバイルエッジ装置が、所管のスモールセルにおいて前記端末に唯一の識別子を割り当てたものであり、
前記第１Ｓ１ＡＰ ＩＤ及び前記第２Ｓ１ＡＰ ＩＤに基づき、Ｓ１ＡＰ ＩＤのマッピング関係を確立し、
前記Ｓ１ＡＰ ＩＤのマッピング関係及び前記通信事業者情報に基づき、前記通信事業者ネットワークのＨｅ−ＧＷに、前記端末の第２アップリンクＳ１ＡＰシグナリングが含まれるＳＣＴＰメッセージを送信し、前記第２アップリンクＳ１ＡＰシグナリングに前記第２Ｓ１ＡＰ ＩＤが含まれることを特徴とする請求項１０に記載のＳ１アプリケーションプロトコル（Ｓ１ＡＰ）シグナリング伝送装置。
【請求項１２】
前記ダウンリンクＳ１ＡＰシグナリングに含まれるＳ１ＡＰ ＩＤ識別子に基づき、前記Ｓ１ＡＰ ＩＤのマッピング関係を調整し、かつ調整後のＳ１ＡＰ ＩＤのマッピング関係に基づき、前記端末に対応するスモールセルを決定し、また、前記ダウンリンクＳ１ＡＰシグナリングが含まれるＳＣＴＰメッセージを前記スモールセルに送信する場合、前記請求ユニットは、
前記端末の第１ダウンリンクＳ１ＡＰシグナリングが含まれるＳＣＴＰメッセージを受信し、ここで、前記第１ダウンリンクＳ１ＡＰシグナリングが含まれるＳＣＴＰメッセージは、前記通信事業者ネットワークのＨｅ−ＧＷが前記第２アップリンクＳ１ＡＰシグナリングが含まれるＳＣＴＰメッセージに基づいて返送されたメッセージであり、前記第１ダウンリンクＳ１ＡＰシグナリングに前記第２Ｓ１ＡＰ ＩＤ及び第３Ｓ１ＡＰ ＩＤが含まれ、前記第３Ｓ１ＡＰ ＩＤは、前記通信事業者ネットワークのＨｅ−ＧＷが前記端末に割り当てられたものであり、
前記端末のために第４Ｓ１ＡＰ ＩＤを割り当て、
前記第１Ｓ１ＡＰ ＩＤ、前記第２Ｓ１ＡＰ ＩＤ、前記第３Ｓ１ＡＰ ＩＤ及び前記第４Ｓ１ＡＰ ＩＤに基づき、前記マッピング関係情報を調整し、
前記第２Ｓ１ＡＰ ＩＤに基づき、前記端末に対応する前記スモールセルを決定し、
調整後の前記マッピング関係に基づき、前記スモールセルに前記端末の第２ダウンリンクＳ１ＡＰシグナリングが含まれるＳＣＴＰメッセージを送信し、前記第２ダウンリンクＳ１ＡＰシグナリングに前記第４Ｓ１ＡＰ ＩＤ及び前記第１Ｓ１ＡＰ ＩＤが含まれることを特徴とする請求項１１に記載のＳ１アプリケーションプロトコル（Ｓ１ＡＰ）シグナリング伝送装置。
【請求項１３】
スモールセルより送信された端末のアップリンクＳ１ＡＰ シグナリングが含まれるＳＣＴＰメッセージを受信し、かつ、前記アップリンクＳ１ＡＰシグナリングに含まれるＳ１ＡＰ ＩＤ識別子に基づき、前記端末に対応する通信事業者ネットワークを決定し、また、前記アップリンクＳ１ＡＰ シグナリングが含まれるＳＣＴＰメッセージを前記通信事業者ネットワークのＨｅ−ＧＷに送信する場合、前記請求ユニットは、
前記スモールセルから、前記第１Ｓ１ＡＰ ＩＤ及び前記第４Ｓ１ＡＰ ＩＤが含まれるアップリンクＳ１ＡＰ シグナリングを有するＳＣＴＰメッセージを受信し、
前記第１Ｓ１ＡＩＰ ＩＤ及び前記Ｓ１ＡＰ ＩＤのマッピング関係情報に基づき、前記第２Ｓ１ＡＰ ＩＤ及び前記第３Ｓ１ＡＰ ＩＤを決定し、前記第２Ｓ１ＡＰ ＩＤ及び前記第３Ｓ１ＡＰ ＩＤが含まれるアップリンクＳ１ＡＰ シグナリングを有するＳＣＴＰメッセージを、前記通信事業者ネットワークのＨｅ−ＧＷに送信することを特徴とする請求項１２に記載のＳ１アプリケーションプロトコル（Ｓ１ＡＰ）シグナリング伝送装置。
【請求項１４】
前記通信事業者ネットワークのＨｅ−ＧＷから前記端末のダウンリンクＳ１ＡＰシグナリングが含まれるＳＣＴＰメッセージを受信し、前記ダウンリンクＳ１ＡＰシグナリングに含まれるＳ１ＡＰ識別子に基づき、前記スモールセルを決定し、また、前記ダウンリンクＳ１ＡＰシグナリングが含まれるＳＣＴＰメッセージを前記スモールセルに送信する場合、応答ユニットは、前記通信事業者ネットワークのＨｅ−ＧＷから、前記第２Ｓ１ＡＰ ＩＤ及び前記第３Ｓ１ＡＰ ＩＤが含まれるダウンリンクＳ１ＡＰシグナリングを有するＳＣＴＰメッセージを受信し、
前記第２Ｓ１ＡＩＰ ＩＤ及び前記Ｓ１ＡＰ ＩＤのマッピング関係情報に基づき、前記第１Ｓ１ＡＰ ＩＤ及び前記第４Ｓ１ＡＰ ＩＤを決定し、前記第１Ｓ１ＡＰ ＩＤ及び前記第４Ｓ１ＡＰ ＩＤが含まれる前記ダウンリンクＳ１ＡＰシグナリングを有するＳＣＴＰメッセージを、前記スモールセルに送信することを特徴とする請求項１２または請求項１３に記載のＳ１アプリケーションプロトコル（Ｓ１ＡＰ）シグナリング伝送装置。
【発明の詳細な説明】
【技術分野】
【０００１】
本発明は通信技術分野に関し、特に、Ｓ１ＡＰシグナリング伝送方法及び装置に関する。
【背景技術】
【０００２】
モバイルブロードバンド技術の急速な発展に伴い、データトラフィック量は大幅に増加してきた。また、屋内および屋外のホットスポットシナリオにはデータ量の増加が集中している。従来のマクロ基地局において、ネットワークの構築とカバレッジがボトルネックになってしまて、ネットワークの広いカバレッジとキャパシティの向上を実現し、コスト効果を考慮すると、通信事業者はスモールセル（Ｓｍａｌｌ Ｃｅｌｌ）に注目し始まる。
【０００３】
現在、従来技術では、スモールセルのネットワーキング構造は図１に示すように、スイッチを介して複数のスモールセルが伝送ネットワークに接続されて、コアネットワークに接続されている。コアネットワークには、セキュリティゲートウェイ（Ｓｅ−ＧＷ）、シグナリングゲートウェイ（Ｈｅ−ＮＢ Ｇａｔｅｗａｙ，Ｈｅ−ＧＷ）、進化したパケットコアネットワーク（Ｅｖｏｌｖｅｄ Ｐａｃｋｅｔ Ｃｏｒｅ，ＥＰＣ）が含まれる。モバイルエッジコンピューティング（Ｍｏｂｉｌｅ−ｅｄｇｅ Ｃｏｍｐｕｔｉｎｇ，ＭＥＣ）サーバーは、スモールセルとコアネットワークの間に直列に接続され、トラフィックオフロード機能（Ｔｒａｆｆｉｃ Ｏｆｆｌｏａｄ Ｆｕｎｃｔｉｏｎ，ＴＯＦ）により、ローカルサービスへのアクセスを実現する。
【０００４】
しかし、実際のアプリケーションでは、スモールセルは通信事業者の資産に属し、通信事業者のライセンス・バンドで動作される。通常、大型スーパー、博物館、空港などの屋内に配備される。様々なアプリケーションシナリオでは、複数のユーザが存在する。すべての通信事業者のユーザにネットワークサービスを提供するために、従来技術において、スモールセルに基づくユーザアクセスの方法は、異なる通信事業者が独自のネットワークを構築し、それぞれのユーザにネットワークサービスを提供します。
【０００５】
しかし、この方法では、同じエリア内の異なる通信事業者に属する多数のスモールセル装置が存在することになる。さらに、異なる通信事業者の数が多くなればなるほど、関連する装置が多くなり、ネットワークの再構築が深刻化となるため、装置の配備がより困難になる。また、この方法は深刻なネットワーク干渉の問題を引き起こし、ユーザエクスペリエンスに影響を与える。
【０００６】
従来技術では、スモールセルに基づくユーザアクセスの別の方法は、スモールセル装置を共有することである。すなわち、スモールセル装置は、通信事業者の資金で構築された後、別の通信事業者に賃貸されるとももに、自体のユーザに提供されるサービスを満足させる。
【０００７】
しかし、この方法では、共有されたスモールセル装置が異なる通信事業者のコアネットワークにアクセスすることがまず必要であり、スモールセルの機能に対する要求は比較的高い。第２に、セキュリティを考慮すると、共有されたスモールセル装置は、異なる通信事業者のセキュリティゲートウェイ装置との間にインターネットプロトコルセキュリティ（Ｉｎｔｅｒｎｅｔ  Ｐｒｏｔｏｃｏｌ  Ｓｅｃｕｒｉｔｙ，ＩＰＳｅｃ）トンネルを確立する必要があり、そのようなトンネルが複数ある場合、処理性能は厳しく落ちるため、通常のトラフィック使用要件を満たすことはできない。 単位面積に配置されたスモールセルの数は急激に増加し、スモールセルの管理とメンテナンスは通信事業者にとって困難である。最後に、スモールセルの共有と賃貸ビジネスモデルは、事業者間の様々な面での交渉に関わり、実際に実装することは困難である。
【０００８】
よって、従来技術では、スモールセルベースのユーザアクセス方法は、通信事業者のユーザアクセスのみを満たすことができ、すべての通信事業者のユーザに同時にアクセスすることができないことが分かる。さらに、すべての通信事業者のユーザにサービスを提供するために、共用スモールセルを提供することは困難である。
【発明の概要】
【発明が解決しようとする課題】
【０００９】
本発明に係る実施例はＳ１ＡＰシグナリング伝送方法及び装置を提供し、従来のスモールセルが所属の通信事業者のユーザアクセスのみを満たすことができ、すべての通信事業者のユーザに同時にアクセスすることができない問題点を解決した。
【課題を解決するための手段】
【００１０】
本発明に係る実施例は、以下の技術案を提供する。
Ｓ１ＡＰシグナリング伝送方法は、
インテリジェントなモバイルエッジ装置は、スモールセルから端末のアップリンクＳ１ＡＰシグナリングが含まれるＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信するステップと、
インテリジェントなモバイルエッジ装置は、通信事業者ネットワークのＨｅ−ＧＷから、端末のダウンリンクＳ１ＡＰシグナリングが含まれるＳＣＴＰメッセージを受信し、かつ、ダウンリンクＳ１ＡＰシグナリングに含まれるＳ１ＡＰ ＩＤ識別子に基づき、端末に対応するスモールセルを決定し、端末のダウンリンクＳ１ＡＰシグナリングが含まれるＳＣＴＰメッセージをスモールセルに送信するステップとを備える。
【００１１】
好ましくは、アップリンクＳ１ＡＰシグナリングに含まれるＳ１ＡＰ識別子に基づき、端末に対応する通信事業者ネットワークを決定するステップでは、
インテリジェントなモバイルエッジ装置は、スモールセルより送信された端末の第１アップリンクＳ１ＡＰシグナリングが含まれるＳＣＴＰメッセージに基づき、端末に対応する通信事業者情報を取得する。
ここで、第１アップリンクＳ１ＡＰシグナリングにスモールセルが端末のために割り当てた第１Ｓ１ＡＰ ＩＤが含まれ、第１Ｓ１ＡＰ ＩＤに端末に対応する通信事業者情報が含まれる。
【００１２】
好ましくは、アップリンクＳ１ＡＰシグナリングに含まれるＳ１ＡＰ ＩＤ識別子に基づき、端末に対応する通信事業者ネットワークを決定し、また、端末のアップリンクＳ１ＡＰ シグナリングが含まれるＳＣＴＰメッセージを通信事業者ネットワークのＨｅ−ＧＷに送信するステップでは、
インテリジェントなモバイルエッジ装置は、第１Ｓ１ＡＰ ＩＤに基づき、Ｓ１ＡＰ ＩＤのマッピング関係を確立し、Ｓ１ＡＰ ＩＤのマッピング関係情報に基づき、端末のアップリンクＳ１ＡＰ シグナリングが含まれるＳＣＴＰメッセージを通信事業者ネットワークのＨｅ−ＧＷに送信し、
ダウンリンクＳ１ＡＰシグナリングに含まれるＳ１ＡＰ ＩＤ識別子に基づき、端末に対応するスモールセルを決定し、端末のダウンリンクＳ１ＡＰシグナリングが含まれるＳＣＴＰメッセージをスモールセルに送信する場合、
インテリジェントなモバイルエッジ装置は、ダウンリンクＳ１ＡＰシグナリングに含まれるＳ１ＡＰ ＩＤ識別子に基づき、Ｓ１ＡＰ ＩＤのマッピング関係を調整し、かつ調整後のＳ１ＡＰ ＩＤのマッピング関係に基づき、端末に対応するスモールセルを決定し、端末のダウンリンクＳ１ＡＰシグナリングが含まれるＳＣＴＰメッセージをスモールセルに送信する。
【００１３】
好ましくは、インテリジェントなモバイルエッジ装置は、第１Ｓ１ＡＰ ＩＤに基づき、Ｓ１ＡＰ ＩＤのマッピング関係情報を確立し、かつ前記Ｓ１ＡＰ ＩＤのマッピング関係情報に基づき、端末のアップリンクＳ１ＡＰ シグナリングが含まれるＳＣＴＰメッセージを通信事業者ネットワークのＨｅ−ＧＷに送信する場合、
インテリジェントなモバイルエッジ装置は、端末のために第２Ｓ１ＡＰ ＩＤを割り当て、第２Ｓ１ＡＰＩＤは、インテリジェントなモバイルエッジ装置が所管のスモールセルにおいて端末のために割り当てた唯一の識別子であり、
インテリジェントなモバイルエッジ装置は、第１Ｓ１ＡＰ ＩＤ及び第２Ｓ１ＡＰ ＩＤに基づき、Ｓ１ＡＰ ＩＤのマッピング関係を確立し、
インテリジェントなモバイルエッジ装置は、Ｓ１ＡＰ ＩＤのマッピング関係及び通信事業者情報に基づき、通信事業者ネットワークのＨｅ−ＧＷに、端末の第２アップリンクＳ１ＡＰシグナリングが含まれるＳＣＴＰメッセージを送信し、前記第２アップリンクＳ１ＡＰシグナリングに第２Ｓ１ＡＰ ＩＤが含まれる。
【００１４】
好ましくは、インテリジェントなモバイルエッジ装置が、ダウンリンクＳ１ＡＰシグナリングに含まれるＳ１ＡＰ ＩＤ識別子に基づき、Ｓ１ＡＰ ＩＤのマッピング関係を調整し、かつ調整後のＳ１ＡＰ ＩＤのマッピング関係に基づき、端末に対応するスモールセルを決定し、端末のダウンリンクＳ１ＡＰシグナリングが含まれるＳＣＴＰメッセージをスモールセルに送信する場合、
インテリジェントなモバイルエッジ装置は、端末の第１ダウンリンクＳ１ＡＰシグナリングが含まれるＳＣＴＰメッセージを受信し、前記第１ダウンリンクＳ１ＡＰシグナリングが含まれるＳＣＴＰメッセージは、通信事業者ネットワークのＨｅ−ＧＷが第２アップリンクＳ１ＡＰシグナリングが含まれるＳＣＴＰメッセージに基づき返送されたメッセージであり、第１ダウンリンクＳ１ＡＰシグナリングに第２Ｓ１ＡＰ ＩＤ及び第３Ｓ１ＡＰ ＩＤが含まれ、また、第３Ｓ１ＡＰ ＩＤは、通信事業者ネットワークのＨｅ−ＧＷが端末のために割り当てられたものであり；
インテリジェントなモバイルエッジ装置は、端末のために第４Ｓ１ＡＰ ＩＤを割り当て、
インテリジェントなモバイルエッジ装置は、第１Ｓ１ＡＰ ＩＤ、第２Ｓ１ＡＰ ＩＤ、第３Ｓ１ＡＰ ＩＤ及び第４Ｓ１ＡＰ ＩＤに基づき、マッピング関係情報を調整し、
インテリジェントなモバイルエッジ装置は、第２Ｓ１ＡＰ ＩＤに基づき、端末に対応するスモールセルを決定し、
インテリジェントなモバイルエッジ装置は、調整後のマッピング関係に基づき、スモールセルに端末の第２ダウンリンクＳ１ＡＰシグナリングが含まれるＳＣＴＰメッセージを送信し、前記第２ダウンリンクＳ１ＡＰシグナリングに第４Ｓ１ＡＰ ＩＤ及び第１Ｓ１ＡＰ ＩＤが含まれる。
【００１５】
好ましくは、インテリジェントなモバイルエッジ装置は、スモールセルより送信された端末のアップリンクＳ１ＡＰ シグナリングが含まれるＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、端末のアップリンクＳ１ＡＰ シグナリングが含まれるＳＣＴＰメッセージを通信事業者ネットワークのＨｅ−ＧＷに送信する場合、
インテリジェントなモバイルエッジ装置は、スモールセルより送信された端末の第１Ｓ１ＡＰ ＩＤと第４Ｓ１ＡＰ ＩＤが含まれるアップリンクＳ１ＡＰ シグナリングを有するＳＣＴＰメッセージを受信し、
インテリジェントなモバイルエッジ装置は、第１Ｓ１ＡＩＰ ＩＤとＳ１ＡＰ ＩＤのマッピング関係情報に基づき、第２Ｓ１ＡＰ ＩＤと第３Ｓ１ＡＰ ＩＤを決定し、端末の第２Ｓ１ＡＰ ＩＤと第３Ｓ１ＡＰ ＩＤが含まれるアップリンクＳ１ＡＰ シグナリングを有するＳＣＴＰメッセージを通信事業者ネットワークのＨｅ−ＧＷに送信する。
【００１６】
好ましくは、インテリジェントなモバイルエッジ装置は、通信事業者ネットワークのＨｅ−ＧＷから、端末のダウンリンクＳ１ＡＰシグナリングが含まれるＳＣＴＰメッセージを受信し、かつダウンリンクＳ１ＡＰシグナリングに含まれるＳ１ＡＰ識別子に基づきスモールセルを決定し、端末のダウンリンクＳ１ＡＰシグナリングが含まれるＳＣＴＰメッセージをスモールセルに送信する場合、
インテリジェントなモバイルエッジ装置は、通信事業者ネットワークのＨｅ−ＧＷから、端末の第２Ｓ１ＡＰ ＩＤと第３Ｓ１ＡＰ ＩＤが含まれるダウンリンクＳ１ＡＰシグナリングを有するＳＣＴＰメッセージを受信し、
インテリジェントなモバイルエッジ装置は、第２Ｓ１ＡＩＰ ＩＤとＳ１ＡＰ ＩＤのマッピング関係情報に基づき、第１Ｓ１ＡＰ ＩＤと第４Ｓ１ＡＰ ＩＤを決定し、かつ、端末の第１Ｓ１ＡＰ ＩＤと第４Ｓ１ＡＰ ＩＤが含まれるダウンリンクＳ１ＡＰシグナリングを有するＳＣＴＰメッセージを、スモールセルに送信する。
【００１７】
Ｓ１ＡＰシグナリング伝送装置は、
スモールセルより送信された端末のアップリンクＳ１ＡＰシグナリングが含まれるＳＣＴＰメッセージを受信し、かつアップリンクＳ１ＡＰシグナリングに含まれるＳ１アクセスポイント識別子Ｓ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する請求ユニットと、
通信事業者ネットワークのＨｅ−ＧＷから、端末のダウンリンクＳ１ＡＰシグナリングが含まれるＳＣＴＰメッセージを受信し、かつ、ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信する応答ユニットとを備える。
【００１８】
好ましくは、アップリンクＳ１ＡＰシグナリングに含まれるＳ１ＡＰ識別子に基づき、端末に対応する通信事業者ネットワークを決定する場合、請求ユニットは、
スモールセルより送信された端末の第１アップリンクＳ１ＡＰシグナリングが含まれるＳＣＴＰメッセージに基づき、端末に対応する通信事業者情報を取得し、ここで、第１アップリンクＳ１ＡＰシグナリングにスモールセルが端末のために割り当てた第１Ｓ１ＡＰ ＩＤが含まれ、第１Ｓ１ＡＰ ＩＤに端末に対応する通信事業者情報が含まれる。
【００１９】
好ましくは、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する場合、請求ユニットは、
第１Ｓ１ＡＰ ＩＤに基づき、Ｓ１ＡＰ ＩＤのマッピング関係を確立し、Ｓ１ＡＰ ＩＤのマッピング関係情報に基づき、アップリンクＳ１ＡＰ シグナリングが含まれるＳＣＴＰメッセージを通信事業者ネットワークのＨｅ−ＧＷに送信し、
ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信する場合、
ダウンリンクＳ１ＡＰシグナリングに含まれるＳ１ＡＰ ＩＤ識別子に基づき、Ｓ１ＡＰ ＩＤのマッピング関係を調整し、かつ調整後のＳ１ＡＰ ＩＤのマッピング関係に基づき、端末に対応するスモールセルを決定し、また、ダウンリンクＳ１ＡＰシグナリングが含まれるＳＣＴＰメッセージをスモールセルに送信する。
【００２０】
好ましくは、第１Ｓ１ＡＰ ＩＤに基づき、Ｓ１ＡＰ ＩＤのマッピング関係情報を確立し、かつ前記Ｓ１ＡＰ ＩＤのマッピング関係情報に基づき、アップリンクＳ１ＡＰ シグナリングが含まれるＳＣＴＰメッセージを通信事業者ネットワークのＨｅ−ＧＷに送信する場合、請求ユニットは、
端末のために第２Ｓ１ＡＰ ＩＤを割り当て、第２Ｓ１ＡＰＩＤは、インテリジェントなモバイルエッジ装置が所管のスモールセルにおいて端末のために割り当てた唯一の識別子であり、
第１Ｓ１ＡＰ ＩＤ及び第２Ｓ１ＡＰ ＩＤに基づき、Ｓ１ＡＰ ＩＤのマッピング関係を確立し、
Ｓ１ＡＰ ＩＤのマッピング関係及び通信事業者情報に基づき、通信事業者ネットワークのＨｅ−ＧＷに、端末の第２アップリンクＳ１ＡＰシグナリングが含まれるＳＣＴＰメッセージを送信し、前記第２アップリンクＳ１ＡＰシグナリングに第２Ｓ１ＡＰ ＩＤが含まれる。
【００２１】
好ましくは、ダウンリンクＳ１ＡＰシグナリングに含まれるＳ１ＡＰ ＩＤ識別子に基づき、Ｓ１ＡＰ ＩＤのマッピング関係を調整し、かつ調整後のＳ１ＡＰ ＩＤのマッピング関係に基づき、端末に対応するスモールセルを決定し、また、ダウンリンクＳ１ＡＰシグナリングが含まれるＳＣＴＰメッセージをスモールセルに送信する場合、請求ユニットは、
端末の第１ダウンリンクＳ１ＡＰシグナリングが含まれるＳＣＴＰメッセージを受信し、前記第１ダウンリンクＳ１ＡＰシグナリングが含まれるＳＣＴＰメッセージは、通信事業者ネットワークのＨｅ−ＧＷが第２アップリンクＳ１ＡＰシグナリングが含まれるＳＣＴＰメッセージに基づき返送されたメッセージであり、第１ダウンリンクＳ１ＡＰシグナリングに第２Ｓ１ＡＰ ＩＤ及び第３Ｓ１ＡＰ ＩＤが含まれ、また、第３Ｓ１ＡＰ ＩＤは、通信事業者ネットワークのＨｅ−ＧＷが端末のために割り当てられたものであり、
端末のために第４Ｓ１ＡＰ ＩＤを割り当て、
第１Ｓ１ＡＰ ＩＤ、第２Ｓ１ＡＰ ＩＤ、第３Ｓ１ＡＰ ＩＤ及び第４Ｓ１ＡＰ ＩＤに基づき、マッピング関係情報を調整し、
第２Ｓ１ＡＰ ＩＤに基づき、端末に対応するスモールセルを決定し、
調整後のマッピング関係に基づき、スモールセルに端末の第２ダウンリンクＳ１ＡＰシグナリングが含まれるＳＣＴＰメッセージを送信し、前記第２ダウンリンクＳ１ＡＰシグナリングに第４Ｓ１ＡＰ ＩＤ及び第１Ｓ１ＡＰ ＩＤが含まれる。
【００２２】
好ましくは、スモールセルより送信された端末のアップリンクＳ１ＡＰ シグナリングが含まれるＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する場合、請求ユニットは、
スモールセルより送信された第１Ｓ１ＡＰ ＩＤ及び第４Ｓ１ＡＰ ＩＤが含まれるアップリンクＳ１ＡＰ シグナリングを有するＳＣＴＰメッセージを受信し、
第１Ｓ１ＡＩＰ ＩＤとＳ１ＡＰ ＩＤのマッピング関係情報に基づき、第２Ｓ１ＡＰ ＩＤと第３Ｓ１ＡＰ ＩＤを決定し、第２Ｓ１ＡＰ ＩＤと第３Ｓ１ＡＰ ＩＤが含まれるアップリンクＳ１ＡＰ シグナリングを有するＳＣＴＰメッセージを通信事業者ネットワークのＨｅ−ＧＷに送信する。
【００２３】
好ましくは、通信事業者ネットワークのＨｅ−ＧＷから、端末のダウンリンクＳ１ＡＰシグナリングが含まれるＳＣＴＰメッセージを受信し、かつダウンリンクＳ１ＡＰシグナリングに含まれるＳ１ＡＰ識別子に基づきスモールセルを決定し、また、ダウンリンクＳ１ＡＰシグナリングが含まれるＳＣＴＰメッセージをスモールセルに送信する場合、応答ユニットは、
通信事業者ネットワークのＨｅ−ＧＷから、第２Ｓ１ＡＰ ＩＤと第３Ｓ１ＡＰ ＩＤが含まれるダウンリンクＳ１ＡＰシグナリングを有するＳＣＴＰメッセージを受信し、
第２Ｓ１ＡＩＰ ＩＤとＳ１ＡＰ ＩＤのマッピング関係情報に基づき、第１Ｓ１ＡＰ ＩＤと第４Ｓ１ＡＰ ＩＤを決定し、また、第１Ｓ１ＡＰ ＩＤと第４Ｓ１ＡＰ ＩＤが含まれるダウンリンクＳ１ＡＰシグナリングを有するＳＣＴＰメッセージをスモールセルに送信する。
【発明の効果】
【００２４】
本発明に係る実施例によれば、インテリジェントなモバイルエッジ装置は、スモールセルから端末のアップリンクＳ１ＡＰシグナリングが含まれるＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信し；インテリジェントなモバイルエッジ装置は、通信事業者ネットワークのＨｅ−ＧＷから、端末のダウンリンクＳ１ＡＰシグナリングが含まれるＳＣＴＰメッセージを受信し、かつ、ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信する。こうして、スモールセルは、複数の通信事業者のネットワークにアクセスして、異なる通信事業者の端末のためにネットワークサービスを提供することができるようになる。
【図面の簡単な説明】
【００２５】
【図１】は従来技術中，スモールセル的ネットワークキングアーキテクチャ図である。
【図２】は本発明の実施例に係るＳ１ＡＰシグナリング伝送のフローチャートである。
【図３】は本発明の実施例に係るＳ１ＡＰシグナリング伝送のネットワークキングアーキテクチャ図である。
【図４】は本発明の実施例に係るＳ１ＡＰシグナリング伝送の構成図である。
【発明を実施するための形態】
【００２６】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００２７】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００２８】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザ設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザ設備は、ＭＴ（Ｃｅｌｌｕｌａｒ  ｐｈｏｎｅとも呼ばれる）、無線通信機能を有するコンピュータなどを含むこともできる。ユーザ設備は、携帯式、ポケット式、手持ち式、コンピュータに内蔵されるかまたは、車載の移動装置であることもできる。
【００２９】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡの基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００３０】
従来のスモールセルが所属の通信事業者のユーザアクセスのみを満たすことができ、すべての通信事業者のユーザに同時にアクセスすることができない問題点を解決するため、本発明に係る実施例において、インテリジェントなモバイルエッジ装置は、スモールセルより送信された端末のアップリンクＳ１アプリケーションプロトコル（Ｓ１ＡＰ）シグナリングが含まれるストリーム制御伝送プロトコル（Ｓｔｒｅａｍ Ｃｏｎｔｒｏｌ Ｔｒａｎｓｍｉｓｓｉｏｎ Ｐｒｏｔｏｃｏｌ，ＳＣＴＰ）ＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する。インテリジェントなモバイルエッジ装置は、通信事業者ネットワークのＨｅ−ＧＷから、端末のダウンリンクＳ１ＡＰシグナリングが含まれるＳＣＴＰメッセージを受信し、かつ、ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信する。
【００３１】
図２に示すように、本発明の実施例に係るＳ１ＡＰシグナリング伝送方法の流れはいかとおりである。
【００３２】
ステップ２００において、スモールセルは、インテリジェントなモバイルエッジ装置に第１アップリンクＳ１ＡＰシグナリングが含まれるＳＣＴＰメッセージを送信する。
【００３３】
実際の応用では、まず、スモールセルは、端末のために第１Ｓ１ＡＰ ＩＤを割り当て、また、第１Ｓ１ＡＰ ＩＤに端末に対応する通信事業者情報を追加する。
【００３４】
オプションとして、本実施例において、スモールセルは、全周波数帯域をサポートし、複数の通信事業者の端末へのアクセスをサポートし、また、スモールセルとインテリジェントなモバイルエッジ装置は、約定したルールに従ってＳ１ＡＰ ＩＤを割り当てる。
【００３５】
例えば、３ＧＰＰプロトコルにより、Ｓ１ＡＰ ＩＤは２８ｂｉｔｓであり、最大８個の通信事業者のアクセスをサポートすれば、３ｂｉｔｓで通信事業者の端末標識することができる。
【００３６】
そして、スモールセルは、端末の第１アップリンクＳ１ＡＰシグナリングが含まれるＳＣＴＰメッセージを、インテリジェントなモバイルエッジ装置に送信する。前記第１アップリンクＳ１ＡＰシグナリングに第１Ｓ１ＡＰ ＩＤが含まれる。
【００３７】
ステップ２０１において、インテリジェントなモバイルエッジ装置は、受信した端末の第１アップリンクＳ１ＡＰシグナリングが含まれるＳＣＴＰメッセージに基づき、端末に対応する通信事業者ネットワークを決定する。
【００３８】
第１Ｓ１ＡＰ ＩＤに通信事業者情報が含まれ、インテリジェントなモバイルエッジ装置は、第１Ｓ１ＡＰ ＩＤに基づき、ｌ端末に対応する通信事業者情報を取得する。
【００３９】
ステップ２０２において、インテリジェントなモバイルエッジ装置は、第１アップリンクＳ１ＡＰシグナリングに含まれるＳ１ＡＰ ＩＤ識別子に基づき、Ｓ１ＡＰ ＩＤのマッピング関係情報を確立する。
【００４０】
具体的に、インテリジェントなモバイルエッジ装置は、第１アップリンクＳ１ＡＰシグナリングに含まれるＳ１ＡＰ ＩＤ識別子に基づき、第１Ｓ１ＡＰ ＩＤを取得し、かつ、端末のために第２Ｓ１ＡＰ ＩＤを割り当て、前記第２Ｓ１ＡＰＩＤは、インテリジェントなモバイルエッジ装置が所管のスモールセルにおいて端末のために割り当てた唯一の識別子である。
【００４１】
そして、インテリジェントなモバイルエッジ装置は、第１Ｓ１ＡＰ ＩＤ及び第２Ｓ１ＡＰ ＩＤに基づき、Ｓ１ＡＰ ＩＤのマッピング関係を確立し、スモールセルとインテリジェントなモバイルエッジ装置とを関連づける。
【００４２】
ステップ２０３において、インテリジェントなモバイルエッジ装置は、上記マッピング関係に基づき、端末の第２アップリンクＳ１ＡＰ シグナリングが含まれるＳＣＴＰメッセージを通信事業者ネットワークのＨｅ−ＧＷに送信する。
【００４３】
具体的に、まず、インテリジェントなモバイルエッジ装置は、上記マッピング関係に基づき、第２Ｓ１ＡＰ ＩＤに対応する第１Ｓ１ＡＰ ＩＤを取得し、かつ、第１Ｓ１ＡＰ ＩＤに基づき、端末に対応する通信事業者情報を取得する。
【００４４】
そして、インテリジェントなモバイルエッジ装置は、端末に対応する通信事業者ネットワークのＨｅ−ＧＷ端末の第２アップリンクＳ１ＡＰシグナリングが含まれるＳＣＴＰメッセージを送信し、前記第２アップリンクＳ１ＡＰシグナリングに第２Ｓ１ＡＰ ＩＤが含まれる。
【００４５】
ステップ２０４において、インテリジェントなモバイルエッジ装置は、端末の第１ダウンリンクＳ１ＡＰシグナリングが含まれるＳＣＴＰメッセージを受信し、かつ、第１ダウンリンクＳ１ＡＰシグナリングに含まれるＳ１ＡＰ ＩＤ識別子に基づき、Ｓ１ＡＰ ＩＤのマッピング関係を調整する。
【００４６】
具体的に、まず、通信事業者ネットワークのＨｅ−ＧＷは、端末の第２アップリンクＳ１ＡＰシグナリングが含まれるＳＣＴＰメッセージを受信し、かつ、端末のために第３Ｓ１ＡＰ ＩＤを割り当てる。
【００４７】
その後、通信事業者ネットワークのＨｅ−ＧＷは、受信した端末の第２アップリンクＳ１ＡＰシグナリングが含まれるＳＣＴＰメッセージに基づき、インテリジェントなモバイルエッジ装置に端末の第１ダウンリンクＳ１ＡＰシグナリングが含まれるＳＣＴＰメッセージを受信し、前記第１ダウンリンクＳ１ＡＰシグナリングに第２Ｓ１ＡＰ ＩＤ及び第３Ｓ１ＡＰ ＩＤが含まれる。
【００４８】
また、インテリジェントなモバイルエッジ装置は、端末の第１ダウンリンクＳ１ＡＰシグナリングが含まれるＳＣＴＰメッセージを受信し、かつ、端末のために第４Ｓ１ＡＰ ＩＤを割り当てる。
【００４９】
最後、インテリジェントなモバイルエッジ装置は、第１Ｓ１ＡＰ ＩＤ、第２Ｓ１ＡＰ ＩＤ、第３Ｓ１ＡＰ ＩＤ及び第４Ｓ１ＡＰ ＩＤに基づき、マッピング関係情報を調整し、異なる通信事業者の端末とスモールセルの間、および通信事業者ネットワークのＨｅ−ＧＷとの間のルーティング関係を確立する。
【００５０】
ステップ２０５において、インテリジェントなモバイルエッジ装置は、調整後のＳ１ＡＰ ＩＤのマッピング関係に基づき、第２ダウンリンクＳ１ＡＰシグナリングが含まれるＳＣＴＰメッセージをスモールセルに送信する。
【００５１】
実際の用途では、インテリジェントなモバイルエッジ装置は、調整後のＳ１ＡＰ ＩＤのマッピング関係に基づき、第２Ｓ１ＡＰ ＩＤに対応する第１Ｓ１ＡＰ ＩＤを取得し、かつ、第１Ｓ１ＡＰ ＩＤに基づき、端末に対応するスモールセルを決定する。
【００５２】
そして、インテリジェントなモバイルエッジ装置は、スモールセルに端末の第２ダウンリンクＳ１ＡＰシグナリングが含まれるＳＣＴＰメッセージを送信し、前記第２ダウンリンクＳ１ＡＰシグナリングに第１Ｓ１ＡＰ ＩＤ及び第４Ｓ１ＡＰ ＩＤが含まれる。
【００５３】
これまで、調整後のＳ１ＡＰ ＩＤのマッピング関係により、スモールセルと通信事業者ネットワークのＨｅ−ＧＷとの間のルーティング通路に仕上がって、スモールセルと通信事業者ネットワークのＨｅ−ＧＷとの間の後続のＳＣＴＰメッセージ伝送が容易になる。
【００５４】
以下、スモールセルと通信事業者ネットワークのＨｅ−ＧＷの間、上記マッピング関係に基づく後続のＳＣＴＰメッセージ伝送について、詳細に説明する。
【００５５】
ステップ３００において、インテリジェントなモバイルエッジ装置は、スモールセルより送信された端末のアップリンクＳ１ＡＰ シグナリングが含まれるＳＣＴＰメッセージを受信する。
【００５６】
具体的に、 スモールセルは、インテリジェントなモバイルエッジ装置に、端末の第１Ｓ１ＡＰ ＩＤと第４Ｓ１ＡＰ ＩＤが含まれるアップリンクＳ１ＡＰ シグナリングを有するＳＣＴＰメッセージを送信する。
【００５７】
そして、インテリジェントなモバイルエッジ装置は、スモールセルより送信された端末のアップリンクＳ１ＡＰ シグナリングが含まれるＳＣＴＰメッセージを受信し、かつ、第１Ｓ１ＡＰ ＩＤに基づき、通信事業者情報を受信する。
【００５８】
ステップ３０１において、インテリジェントなモバイルエッジ装置は、アップリンクＳ１ＡＰシグナリングに含まれるＳ１ＡＰ ＩＤ識別子と調整後のマッピング関係に基づき、端末のアップリンクＳ１ＡＰ シグナリングが含まれるＳＣＴＰメッセージを通信事業者ネットワークのＨｅ−ＧＷに送信する。
【００５９】
具体的に、インテリジェントなモバイルエッジ装置は、第１Ｓ１ＡＰ ＩＤとＳ１ＡＰ ＩＤのマッピング関係情報に基づき、第２Ｓ１ＡＰ ＩＤと第３Ｓ１ＡＰ ＩＤを取得し、かつ、端末の第２Ｓ１ＡＰ ＩＤと第３Ｓ１ＡＰ ＩＤが含まれるアップリンクＳ１ＡＰ シグナリングを有するＳＣＴＰメッセージを通信事業者ネットワークのＨｅ−ＧＷに送信する。
【００６０】
例えば、実際の用途ではスモールセルは、通信事業者Ａに、端末aのＳＣＴＰメッセージを送信する。
【００６１】
まず、スモールセルは、インテリジェントなモバイルエッジ装置は、端末aの第１Ｓ１ＡＰ ＩＤと第４Ｓ１ＡＰ ＩＤが含まれるアップリンクＳ１ＡＰ シグナリングを有するＳＣＴＰメッセージを送信する。
【００６２】
次に、インテリジェントなモバイルエッジ装置は、スモールセルより送信されたアップリンクＳ１ＡＰ シグナリングが含まれるＳＣＴＰメッセージを受信し、かつ、第１Ｓ１ＡＰ ＩＤに基づき、端末aに対応する通信事業者が通信事業者Ａである情報を受信する。
【００６３】
最後に、インテリジェントなモバイルエッジ装置は、第１Ｓ１ＡＩＰ ＩＤとＳ１ＡＰ ＩＤのマッピング関係情報に基づき、第２Ｓ１ＡＰ ＩＤと第３Ｓ１ＡＰ ＩＤを決定し、第２Ｓ１ＡＰ ＩＤと第３Ｓ１ＡＰ ＩＤが含まれるアップリンクＳ１ＡＰ シグナリングを有するＳＣＴＰメッセージを通信事業者ネットワークAのＨｅ−ＧＷに送信する。
【００６４】
こうして、スモールセルから通信事業者Ａに端末aのＳＣＴＰメッセージを送信するルーティングパスは、スモールセル ->インテリジェントなモバイルエッジ装置->通信事業者ＡのＳｅ−ＧＷ->通信事業者ＡのＨｅ−ＧＷ->通信事業者ＡのＥＰＣである。
【００６５】
ステップ３０２において、インテリジェントなモバイルエッジ装置は、通信事業者ネットワークのＨｅ−ＧＷから、端末のダウンリンクＳ１ＡＰシグナリングが含まれるＳＣＴＰメッセージを受信する。
【００６６】
具体的に、通信事業者ネットワークのＨｅ−ＧＷは、インテリジェントなモバイルエッジ装置に、第２Ｓ１ＡＰ ＩＤと第３Ｓ１ＡＰ ＩＤが含まれるダウンリンクＳ１ＡＰシグナリングを有するＳＣＴＰメッセージを送信する。
【００６７】
そして、インテリジェントなモバイルエッジ装置は、通信事業者ネットワークのＨｅ−ＧＷから、ダウンリンクＳ１ＡＰシグナリングが含まれるＳＣＴＰメッセージを受信する。
【００６８】
ステップ３０３において、インテリジェントなモバイルエッジ装置は、ダウンリンクＳ１ＡＰシグナリングに含まれるＳ１ＡＰ識別子、及び調整後のマッピング関係に基づき、ダウンリンクＳ１ＡＰシグナリングが含まれるＳＣＴＰメッセージをスモールセルに送信する。
【００６９】
具体的に、インテリジェントなモバイルエッジ装置は、まず、第２Ｓ１ＡＩＰ ＩＤとＳ１ＡＰ ＩＤのマッピング関係情報に基づき、第１Ｓ１ＡＰ ＩＤと第４Ｓ１ＡＰ ＩＤ、及び第１Ｓ１ＡＰ ＩＤに含まれるスモールセル情報を決定し。
【００７０】
そして、インテリジェントなモバイルエッジ装置は、第１Ｓ１ＡＰ ＩＤと第４Ｓ１ＡＰ ＩＤが含まれるダウンリンクＳ１ＡＰシグナリングを有するＳＣＴＰメッセージをスモールセルに送信する。
【００７１】
例えば、実際の応用において、スモールセルが通信事業者Ａから返送された端末aのＳＣＴＰメッセージを受信する場合、まず、通信事業者ＡネットワークのＨｅ−ＧＷは、インテリジェントなモバイルエッジ装置に、第２Ｓ１ＡＰ ＩＤと第３Ｓ１ＡＰ ＩＤが含まれるダウンリンクＳ１ＡＰシグナリングを有するＳＣＴＰメッセージを送信する。
【００７２】
そして、インテリジェントなモバイルエッジ装置は、通信事業者ＡネットワークのＨｅ−ＧＷから、ダウンリンクＳ１ＡＰシグナリングが含まれるＳＣＴＰメッセージを受信し、かつ、第２Ｓ１ＡＩＰ ＩＤとＳ１ＡＰ ＩＤのマッピング関係情報に基づき、第１Ｓ１ＡＰ ＩＤと第４Ｓ１ＡＰ ＩＤ、及び第１Ｓ１ＡＰ ＩＤに含まれるスモールセル情報を取得する。
【００７３】
最後にインテリジェントなモバイルエッジ装置は、第１Ｓ１ＡＰ ＩＤと第４Ｓ１ＡＰ ＩＤが含まれるダウンリンクＳ１ＡＰシグナリングを有するＳＣＴＰメッセージをスモールセルに送信する。
【００７４】
こうして、スモールセルが通信事業者Ａから返送された端末aのＳＣＴＰメッセージを受信するルーティングパスは、通信事業者ＡのＥＰＣ ->通信事業者ＡのＨｅ−ＧＷ ->通信事業者ＡのＳｅ−ＧＷ -> インテリジェントなモバイルエッジ装置 -> スモールセルである。
【００７５】
以下は、特定のアプリケーションシナリオの例を挙げて上記の上記実施例を詳細に説明する。
【００７６】
例えば、スモールセルがブロードキャストするシステム情報に、通信事業者Ｂ及び通信事業者Cが含まれる。ユーザ端末ＵＥ１は、通信事業者Ｂのネットワークを選定してアクセスする。ＵＥ２は、通信事業者Cのネットワークを選定してアクセスする。表１は、スモールセル、インテリジェントなモバイルエッジ装置、及びＨｅ−ＧＷに格納されたＳ１ＡＰ ＩＤのバインディング関係を示す。
【表１】
2019519170.tif 000003
【００７７】
以下、ＵＥ１及びＵＥ２を例として、説明する。
【００７８】
１）ＵＥ１がアクセスされた場合、スモールセルは、ＵＥ１にＳ１ＡＰ ＩＤ１１を割り当て、インテリジェントなモバイルエッジ装置は、ＵＥ１にＳ１ＡＰ ＩＤ１２に割り当てる。また、通信事業者ＢのＨｅ−ＧＷは、ＵＥ１にＳ１ＡＰ ＩＤ１３を割り当て、インテリジェントなモバイルエッジ装置は、ＵＥ１にＳ１ＡＰ ＩＤ１４を割り当てる。
【００７９】
まず、スモールセルは、インテリジェントなモバイルエッジ装置に、ＵＥ１の第１アップリンクシグナリングが含まれるＳＣＴＰメッセージを送信し、前記第１アップリンクシグナリングにＳ１ＡＰ ＩＤ１１が含まれる。
【００８０】
そして、インテリジェントなモバイルエッジ装置は、ＵＥ１の第１アップリンクシグナリングが含まれるＳＣＴＰメッセージを受信し、Ｓ１ＡＰ ＩＤ１１に含まれる通信事業者情報に基づき、ＵＥ１に対応する通信事業者が通信事業者Ｂであることを確定する。
【００８１】
さらに、インテリジェントなモバイルエッジ装置は、Ｓ１ＡＰ ＩＤ１１及びＳ１ＡＰ ＩＤ１２に基づき、Ｓ１ＡＰ ＩＤのマッピング関係を確立し、かつ、確立されたＳ１ＡＰ ＩＤのマッピング関係情報に基づき、ＵＥ１の第２アップリンクＳ１ＡＰ シグナリングが含まれるＳＣＴＰメッセージを、通信事業者ＢネットワークのＨｅ−ＧＷに送信する。前記第２アップリンクＳ１ＡＰ シグナリングにＳ１ＡＰ ＩＤ１２が含まれる。
【００８２】
そして、通信事業者ＢネットワークのＨｅ−ＧＷは、ＵＥ１の第２アップリンクＳ１ＡＰ シグナリングが含まれるＳＣＴＰメッセージを受信し、インテリジェントなモバイルエッジ装置に、第１ダウンリンクＳ１ＡＰ シグナリングが含まれるＳＣＴＰメッセージを送信する。前記第１ダウンリンクＳ１ＡＰ シグナリングにＳ１ＡＰ ＩＤ１２及びＳ１ＡＰ ＩＤ１３が含まれる。
【００８３】
さらに、インテリジェントなモバイルエッジ装置は、Ｓ１ＡＰ ＩＤ１１、Ｓ１ＡＰ ＩＤ１２、Ｓ１ＡＰ ＩＤ１３及びＳ１ＡＰ ＩＤ１４に基づき、マッピング関係情報を調整し、Ｓ１ＡＰ ＩＤ１２に基づき、ＵＥ１に対応するスモールセルを決定する。
【００８４】
そして、インテリジェントなモバイルエッジ装置は、調整後のマッピング関係に基づき、第１ダウンリンクＳ１ＡＰシグナリングが含まれるＳＣＴＰメッセージをスモールセルに送信する。前記第１ダウンリンクＳ１ＡＰシグナリングにＳ１ＡＰ ＩＤ１１及びＳ１ＡＰ ＩＤ１４が含まれる。
【００８５】
これまで、調整されたS1AP IDマッピング関係によって、スモールセルと通信事業者ＢネットワークのＨｅ−ＧＷとの間のルーティングパスを確立し、スモールセルと通信事業者ＢネットワークのHe-GWとの間で後続のSCTPメッセージ伝送が容易となる。
【００８６】
こうして、スモールセルは、複数の通信事業者のネットワークにアクセスして、異なる通信事業者の端末のためにネットワークサービスを提供することができるようになる。
【００８７】
以下、スモールセルと通信事業者ＢネットワークのＨｅ−ＧＷの間のＳＣＴＰメッセージ伝送を詳細に説明する。
【００８８】
スモールセルは、通信事業者ＢネットワークのＨｅ−ＧＷに、ＵＥ１のＳＣＴＰメッセージを送信する場合、スモールセルは、インテリジェントなモバイルエッジ装置にＵＥ１の第１アップリンクＳ１ＡＰシグナリングが含まれるＳＣＴＰメッセージを送信する。前記第１アップリンクＳ１ＡＰシグナリングにＳ１ＡＰ ＩＤ１１及びＳ１ＡＰ ＩＤ１４が含まれる。
【００８９】
そして、インテリジェントなモバイルエッジ装置は、スモールセルより送信されたＵＥ１の第１アップリンクＳ１ＡＰシグナリングが含まれるＳＣＴＰメッセージを受信し、かつ、Ｓ１ＡＰ ＩＤ１１及び調整後のマッピング関係に基づき、Ｓ１ＡＰ ＩＤ１２及びＳ１ＡＰ ＩＤ１３を決定する。
【００９０】
最後、インテリジェントなモバイルエッジ装置は、ＵＥ１の第２アップリンクＳ１ＡＰ シグナリングが含まれるＳＣＴＰメッセージを、通信事業者ＢネットワークのＨｅ−ＧＷに送信する。第２アップリンクＳ１ＡＰ シグナリングに、Ｓ１ＡＰ ＩＤ１２尾及びＳ１ＡＰ ＩＤ１３が含まれる。
【００９１】
スモールセルが通信事業者ＢネットワークのＨｅ−ＧＷから返送されたＵＥ１のＳＣＴＰメッセージを受信する場合、通信事業者ＢネットワークのＨｅ−ＧＷは、まず、インテリジェントなモバイルエッジ装置に、ＵＥ１の第１ダウンリンクＳ１ＡＰシグナリングが含まれるＳＣＴＰメッセージ送信する。前記第１ダウンリンクＳ１ＡＰシグナリングにＳ１ＡＰ ＩＤ１２及びＳ１ＡＰ ＩＤ１３が含まれる。
【００９２】
そして、インテリジェントなモバイルエッジ装置は、通信事業者ＢネットワークのＨｅ−ＧＷからＵＥ１の第１ダウンリンクＳ１ＡＰシグナリングが含まれるＳＣＴＰメッセージを受信し、第１ダウンリンクＳ１ＡＰシグナリングに含まれるＳ１ＡＰ ＩＤ１２及び調整後のマッピング関係に基づき、Ｓ１ＡＰ ＩＤ１１及びＳ１ＡＰ ＩＤ１４を決定する。
【００９３】
最後、インテリジェントなモバイルエッジ装置は、調整後のマッピング関係に基づき、ＵＥ１の第２ダウンリンクＳ１ＡＰシグナリングが含まれるＳＣＴＰメッセージをスモールセルに送信する。前記第２ダウンリンクＳ１ＡＰ シグナリングにＳ１ＡＰ ＩＤ１１及びＳ１ＡＰ ＩＤ１４が含まれる。
【００９４】
こうして、スモールセルは、通信事業者ＢネットワークのＨｅ−ＧＷから返送されたＳＣＴＰメッセージを受信する。
【００９５】
２）ＵＥ２がアクセスする場合、スモールセルは、ＵＥ２にＳ１ＡＰ ＩＤ２１を割り当て、インテリジェントなモバイルエッジ装置は、ＵＥ２にＳ１ＡＰ ＩＤ２２と割り当てる。また、通信事業者CのＨｅ−ＧＷは、ＵＥ２にＳ１ＡＰ ＩＤ２３を割り当て、インテリジェントなモバイルエッジ装置は、ＵＥ２にＳ１ＡＰ ＩＤ２４を割り当てる。
【００９６】
まず、スモールセルは、インテリジェントなモバイルエッジ装置に、ＵＥ２の第１アップリンクシグナリングが含まれるＳＣＴＰメッセージを送信する。前記第１アップリンクシグナリングにＳ１ＡＰ ＩＤ２１が含まれる。
【００９７】
そして、インテリジェントなモバイルエッジ装置は、ＵＥ２の第１アップリンクシグナリングが含まれるＳＣＴＰメッセージを受信し、かつ、Ｓ１ＡＰ ＩＤ２１荷含まれる通信事業者情報に基づき、ＵＥ２に対応する通信事業者が通信事業者Cであると確定する。
【００９８】
さらに、インテリジェントなモバイルエッジ装置は、Ｓ１ＡＰ ＩＤ２１及びＳ１ＡＰ ＩＤ２２に基づき、Ｓ１ＡＰ ＩＤのマッピング関係を確立し、Ｓ１ＡＰ ＩＤのマッピング関係情報に基づき、ＵＥ２の第２アップリンクＳ１ＡＰ シグナリングが含まれるＳＣＴＰメッセージを、通信事業者CネットワークのＨｅ−ＧＷに送信し、前記第２アップリンクＳ１ＡＰ シグナリングにＳ１ＡＰ ＩＤ２２が含まれる。
【００９９】
そして、通信事業者CネットワークのＨｅ−ＧＷは、ＵＥ２の第２アップリンクＳ１ＡＰ シグナリングが含まれるＳＣＴＰメッセージを受信し、かつ、インテリジェントなモバイルエッジ装置に、第１ダウンリンクＳ１ＡＰ シグナリングが含まれるＳＣＴＰメッセージを送信する。前記第１ダウンリンクＳ１ＡＰ シグナリングにＳ１ＡＰ ＩＤ２２及びＳ１ＡＰ ＩＤ２３が含まれる。
【０１００】
最後、インテリジェントなモバイルエッジ装置は、Ｓ１ＡＰ ＩＤ２１、Ｓ１ＡＰ ＩＤ２２、Ｓ１ＡＰ ＩＤ２３及びＳ１ＡＰ ＩＤ２４に基づき、マッピング関係情報を調整し、かつ、Ｓ１ＡＰ ＩＤ２２及び調整後のマッピング関係に基づき、第１ダウンリンクＳ１ＡＰシグナリングが含まれるＳＣＴＰメッセージをスモールセルに送信する。前記第１ダウンリンクＳ１ＡＰシグナリングにＳ１ＡＰ ＩＤ２１及びＳ１ＡＰ ＩＤ２４が含まれる。
【０１０１】
これまで、調整後のＳ１ＡＰ ＩＤのマッピング関係により、スモールセルと通信事業者CネットワークのＨｅ−ＧＷ間のルーティング通路を確立し、スモールセルと通信事業者CネットワークのＨｅ−ＧＷとの間で後続のＳＣＴＰメッセージ伝送が容易となる。
【０１０２】
こうして、スモールセルは、複数の通信事業者のネットワークにアクセスして、異なる通信事業者の端末のためにネットワークサービスを提供することができるようになる。
【０１０３】
以下、スモールセルと通信事業者CネットワークのＨｅ−ＧＷの間のＳＣＴＰメッセージ伝送を詳細に説明する。
【０１０４】
スモールセルが通信事業者CネットワークのＨｅ−ＧＷに、ＵＥ２のＳＣＴＰメッセージを送信する場合、スモールセルは、インテリジェントなモバイルエッジ装置にE２の第１アップリンクＳ１ＡＰシグナリングが含まれるＳＣＴＰメッセージを送信する。前記第１アップリンクＳ１ＡＰシグナリングにＳ１ＡＰ ＩＤ２１及びＳ１ＡＰ ＩＤ２４が含まれる。
【０１０５】
そして、インテリジェントなモバイルエッジ装置は、スモールセルより送信されたE２の第１アップリンクＳ１ＡＰシグナリングが含まれるＳＣＴＰメッセージを受信し、かつ、Ｓ１ＡＰ ＩＤ２１及び調整後のマッピング関係に基づき、Ｓ１ＡＰ ＩＤ２２及びＳ１ＡＰ ＩＤ２３を決定する。
【０１０６】
最後、インテリジェントなモバイルエッジ装置は、ＵＥ２の第２アップリンクＳ１ＡＰ シグナリングが含まれるＳＣＴＰメッセージを、通信事業者CネットワークのＨｅ−ＧＷに送信する。前記第２アップリンクＳ１ＡＰ シグナリングにＳ１ＡＰ ＩＤ２２及びＳ１ＡＰ ＩＤ２３が含まれる。
【０１０７】
こうして、スモールセルは、調整後のマッピング関係により、通信事業者CネットワークのＨｅ−ＧＷにＳＣＴＰメッセージを送信する。
【０１０８】
スモールセルが通信事業者CネットワークのＨｅ−ＧＷから返送されたＵＥ２のＳＣＴＰメッセージを受信する場合、通信事業者CネットワークのＨｅ−ＧＷは、まず、インテリジェントなモバイルエッジ装置に、ＵＥ２の第１ダウンリンクＳ１ＡＰシグナリングが含まれるＳＣＴＰメッセージを送信する。前記第１ダウンリンクＳ１ＡＰシグナリングにＳ１ＡＰ ＩＤ２２及びＳ１ＡＰ ＩＤ２３が含まれる。
【０１０９】
そして、インテリジェントなモバイルエッジ装置は、通信事業者CネットワークのＨｅ−ＧＷから第１ダウンリンクＳ１ＡＰシグナリングが含まれるＳＣＴＰメッセージを受信し、かつ、第１ダウンリンクＳ１ＡＰシグナリングに含まれるＳ１ＡＰ ＩＤ２２、及び調整後のマッピング関係に基づき、Ｓ１ＡＰ ＩＤ２１及びＳ１ＡＰ ＩＤ２４を決定する。
【０１１０】
最後、インテリジェントなモバイルエッジ装置は、調整後のマッピング関係に基づき、第２ダウンリンクＳ１ＡＰシグナリングが含まれるＳＣＴＰメッセージをスモールセルに送信する。前記第２ダウンリンクＳ１ＡＰ シグナリングにＳ１ＡＰ ＩＤ２１及びＳ１ＡＰ ＩＤ２４が含まれる。
【０１１１】
こうして、スモールセルは、調整後のマッピング関係により、通信事業者CネットワークのＨｅ−ＧＷから返送されたＳＣＴＰメッセージを受信する。
【０１１２】
以下は、特定のアプリケーションシナリオの例を挙げて、上記実施例をさらに詳細に説明する。
【０１１３】
図３は、本発明の実施例に係るＳ１ＡＰシグナリング伝送方法のネットワークキングアーキテクチャ図である。
【０１１４】
実際の応用では、インテリジェントなモバイルエッジ装置において、ローカルセキュリティゲートウェイ（Ｌｏｃａｌ Ｓｅｃｕｒｉｔｙ  Ｇａｔｅｗａｙ，L−Sｅ−ＧＷ）を設定して、複数の通信事業者の端末に向いてネットワークサービスを提供する。
【０１１５】
本発明に係る実施例には、通信事業者Ａ及び通信事業者Ｂ２つの通信事業者があり、また、スモールセル１、スモールセルNなどのn個のスモールセルがある。
【０１１６】
ここで、スモールセルは、全周波数帯域をサポートし、複数の通信事業者のユーザのアクセスをサポートする。
【０１１７】
インテリジェントなモバイルエッジ装置のL-Ｓｅ−ＧＷと通信事業者ＡのＳｅ−ＧＷ及び通信事業者ＢのＳｅ−ＧＷの間にＩＰＳｅｃトンネルがあり、ＩＰＳｅｃトンネルは、各通信事業者の伝送ネットワークと接続する。
【０１１８】
インテリジェントなモバイルエッジ装置は、通信事業者ＡのＨｅ−ＧＷ及び通信事業者ＢのＨｅ−ＧＷとのＳＣＴＰカップリングを確立し、ＳＣＴＰカップリングのメッセージはＩＰＳｅｃトンネルによって搬送される。各通信事業者のＳｅ−ＧＷは、インテリジェントなモバイルエッジ装置に、当該通信事業者コアネットワークにアクセスするシグナリングＩＰアドレスを割り当てる。
【０１１９】
インテリジェントなモバイルエッジ装置のローカルシグナリングゲートウェイ（Ｌｏｃａｌ Ｓｉｇｎａｌｌｉｎｇ Ｇａｔｅｗａｙ，Ｌ−Ｓ−ＧＷ）は、スモールセルの各基地局とのＳＣＴＰカップリングを確立し、インテリジェントなモバイルエッジ装置のＬ−Ｓ−ＧＷは、基地局のシグナリングを集約し、そして、インテリジェントなモバイルエッジ装置のL-Ｓｅ−ＧＷと各通信事業者のＳｅ−ＧＷとの間に確立されたＩＰＳｅｃトンネルを介して、通信事業者のコアネットワークに伝送する。インテリジェントなモバイルエッジ装置のL-Ｓｅ−ＧＷは、シグナリングＩＰアドレスを、各スモールセル基地局に割り当てる。ここで、各スモールセルは、通信事業者Ａと通信事業者Ｂの両方で動作するライセンス・バンドをサポートする。
【０１２０】
アップリンク伝送の場合、インテリジェントなモバイルエッジ装置は、スモールセルから端末のアップリンクＳ１ＡＰシグナリングが含まれるＳＣＴＰメッセージを受信し、スモールセルにより割り当てられた第１Ｓ１ＡＰ ＩＤ、及びマッピング関係に基づいて、端末に対応する通信事業者ネットワークのＨｅ−ＧＷに、アップリンクＳ１ＡＰシグナリングが含まれるＳＣＴＰメッセージを送信する
【０１２１】
インテリジェントなモバイルエッジ装置は、端末のアップリンクＳ１ＡＰシグナリングが含まれるＳＣＴＰメッセージのＩＰパッケージのソースＩＰアドレスを、端末に対応する通信事業者ネットワークによりインテリジェントなモバイルエッジ装置に割り当てられたシグナリングＩＰアドレスに切り替える。
【０１２２】
ダウンリンク伝送の場合、通信事業者ネットワークのＨｅ−ＧＷは、受信した端末のアップリンクＳ１ＡＰシグナリングが含まれるＳＣＴＰメッセージに基づき、インテリジェントなモバイルエッジ装置に、端末のダウンリンクＳ１ＡＰシグナリングが含まれるＳＣＴＰメッセージを送信する。インテリジェントなモバイルエッジ装置は、ダウンリンクＳ１ＡＰシグナリングに含まれる第３Ｓ１ＡＰ ＩＤ、及びマッピング関係に基づき、スモールセルにより割り当てられた第１Ｓ１ＡＰ ＩＤを見つける。当該識別子にスモールセルの情報が含まれるため、インテリジェントなモバイルエッジ装置は、端末のダウンリンクＳ１ＡＰシグナリングが含まれるＳＣＴＰメッセージを、スモールセルに送信する。
【０１２３】
インテリジェントなモバイルエッジ装置は、端末のダウンリンクＳ１ＡＰシグナリングが含まれるＳＣＴＰメッセージのＩＰパッケージのターゲットＩＰアドレスを、端末に対応するスモールセルのシグナリングＩＰアドレスに切り替える。
【０１２４】
上記実施例をベースとして、図４に示すように、本発明の実施例に係るＳ１ＡＰシグナリング伝送装置は、
スモールセルより送信された端末のアップリンクＳ１ＡＰシグナリングが含まれるＳＣＴＰメッセージを受信し、かつアップリンクＳ１ＡＰシグナリングに含まれるＳ１アクセスポイント識別子Ｓ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する請求ユニット４０と、
通信事業者ネットワークのＨｅ−ＧＷから、端末のダウンリンクＳ１ＡＰシグナリングが含まれるＳＣＴＰメッセージを受信し、かつ、ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信する応答ユニット４１とを備える。
【０１２５】
好ましくは、アップリンクＳ１ＡＰシグナリングに含まれるＳ１ＡＰ識別子に基づき、端末に対応する通信事業者ネットワークを決定する場合、請求ユニット４０は、
スモールセルより送信された端末の第１アップリンクＳ１ＡＰシグナリングが含まれるＳＣＴＰメッセージに基づき、端末に対応する通信事業者情報を取得する，ここで、第１アップリンクＳ１ＡＰシグナリングにスモールセルが端末のために割り当てた第１Ｓ１ＡＰ ＩＤが含まれ、第１Ｓ１ＡＰ ＩＤに端末に対応する通信事業者情報が含まれる。
【０１２６】
好ましくは、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する場合、請求ユニット４０は、第１Ｓ１ＡＰ ＩＤに基づき、Ｓ１ＡＰ ＩＤのマッピング関係を確立し、Ｓ１ＡＰ ＩＤのマッピング関係情報に基づき、アップリンクＳ１ＡＰ シグナリングが含まれるＳＣＴＰメッセージを通信事業者ネットワークのＨｅ−ＧＷに送信する。
ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信する場合、ダウンリンクＳ１ＡＰシグナリングに含まれるＳ１ＡＰ ＩＤ識別子に基づき、Ｓ１ＡＰ ＩＤのマッピング関係を調整し、かつ調整後のＳ１ＡＰ ＩＤのマッピング関係に基づき、端末に対応するスモールセルを決定し、また、ダウンリンクＳ１ＡＰシグナリングが含まれるＳＣＴＰメッセージをスモールセルに送信する。
【０１２７】
好ましくは、第１Ｓ１ＡＰ ＩＤに基づき、Ｓ１ＡＰ ＩＤのマッピング関係情報を確立し、かつ前記Ｓ１ＡＰ ＩＤのマッピング関係情報に基づき、アップリンクＳ１ＡＰ シグナリングが含まれるＳＣＴＰメッセージを通信事業者ネットワークのＨｅ−ＧＷに送信する場合、請求ユニット４０は、端末のために第２Ｓ１ＡＰ ＩＤを割り当てる。第２Ｓ１ＡＰＩＤは、インテリジェントなモバイルエッジ装置が所管のスモールセルにおいて端末のために割り当てた唯一の識別子である。
第１Ｓ１ＡＰ ＩＤ及び第２Ｓ１ＡＰ ＩＤに基づき、Ｓ１ＡＰ ＩＤのマッピング関係を確立する。
Ｓ１ＡＰ ＩＤのマッピング関係及び通信事業者情報に基づき、通信事業者ネットワークのＨｅ−ＧＷに、端末の第２アップリンクＳ１ＡＰシグナリングが含まれるＳＣＴＰメッセージを送信し、前記第２アップリンクＳ１ＡＰシグナリングに第２Ｓ１ＡＰ ＩＤが含まれる。
【０１２８】
好ましくは、ダウンリンクＳ１ＡＰシグナリングに含まれるＳ１ＡＰ ＩＤ識別子に基づき、Ｓ１ＡＰ ＩＤのマッピング関係を調整し、かつ調整後のＳ１ＡＰ ＩＤのマッピング関係に基づき、端末に対応するスモールセルを決定し、また、ダウンリンクＳ１ＡＰシグナリングが含まれるＳＣＴＰメッセージをスモールセルに送信する場合、請求ユニット４０は、端末の第１ダウンリンクＳ１ＡＰシグナリングが含まれるＳＣＴＰメッセージを受信する。前記第１ダウンリンクＳ１ＡＰシグナリングが含まれるＳＣＴＰメッセージは、通信事業者ネットワークのＨｅ−ＧＷが第２アップリンクＳ１ＡＰシグナリングが含まれるＳＣＴＰメッセージに基づき返送されたメッセージであり、第１ダウンリンクＳ１ＡＰシグナリングに第２Ｓ１ＡＰ ＩＤ及び第３Ｓ１ＡＰ ＩＤが含まれ、また、第３Ｓ１ＡＰ ＩＤは、通信事業者ネットワークのＨｅ−ＧＷが端末のために割り当てられたものである。
端末のために第４Ｓ１ＡＰ ＩＤを割り当てる。
第１Ｓ１ＡＰ ＩＤ、第２Ｓ１ＡＰ ＩＤ、第３Ｓ１ＡＰ ＩＤ及び第４Ｓ１ＡＰ ＩＤに基づき、マッピング関係情報を調整する。
第２Ｓ１ＡＰ ＩＤに基づき、端末に対応するスモールセルを決定する。
調整後のマッピング関係に基づき、スモールセルに端末の第２ダウンリンクＳ１ＡＰシグナリングが含まれるＳＣＴＰメッセージを送信し、前記第２ダウンリンクＳ１ＡＰシグナリングに第４Ｓ１ＡＰ ＩＤ及び第１Ｓ１ＡＰ ＩＤが含まれる。
【０１２９】
好ましくは、スモールセルより送信された端末のアップリンクＳ１ＡＰ シグナリングが含まれるＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する場合、請求ユニット４０は、
スモールセルより送信された第１Ｓ１ＡＰ ＩＤ及び第４Ｓ１ＡＰ ＩＤが含まれるアップリンクＳ１ＡＰ シグナリングを有するＳＣＴＰメッセージを受信し、
第１Ｓ１ＡＩＰ ＩＤとＳ１ＡＰ ＩＤのマッピング関係情報に基づき、第２Ｓ１ＡＰ ＩＤと第３Ｓ１ＡＰ ＩＤを決定し、第２Ｓ１ＡＰ ＩＤと第３Ｓ１ＡＰ ＩＤが含まれるアップリンクＳ１ＡＰ シグナリングを有するＳＣＴＰメッセージを通信事業者ネットワークのＨｅ−ＧＷに送信する。
【０１３０】
好ましくは、通信事業者ネットワークのＨｅ−ＧＷから、端末のダウンリンクＳ１ＡＰシグナリングが含まれるＳＣＴＰメッセージを受信し、かつダウンリンクＳ１ＡＰシグナリングに含まれるＳ１ＡＰ識別子に基づきスモールセルを決定し、また、ダウンリンクＳ１ＡＰシグナリングが含まれるＳＣＴＰメッセージをスモールセルに送信する場合、応答ユニット４１は、
通信事業者ネットワークのＨｅ−ＧＷから、第２Ｓ１ＡＰ ＩＤと第３Ｓ１ＡＰ ＩＤが含まれるダウンリンクＳ１ＡＰシグナリングを有するＳＣＴＰメッセージを受信し、
第２Ｓ１ＡＩＰ ＩＤとＳ１ＡＰ ＩＤのマッピング関係情報に基づき、第１Ｓ１ＡＰ ＩＤと第４Ｓ１ＡＰ ＩＤを決定し、また、第１Ｓ１ＡＰ ＩＤと第４Ｓ１ＡＰ ＩＤが含まれるダウンリンクＳ１ＡＰシグナリングを有するＳＣＴＰメッセージをスモールセルに送信する。
【０１３１】
要約すると、本発明に係る実施例によれば、インテリジェントなモバイルエッジ装置は、スモールセルから端末のアップリンクＳ１ＡＰシグナリングが含まれるＳＣＴＰメッセージを受信し、かつ、アップリンクＳ１ＡＰシグナリングに含まれるＳ１ＡＰ ＩＤ識別子に基づき、端末に対応する通信事業者ネットワークを決定し、また、アップリンクＳ１ＡＰ シグナリングが含まれるＳＣＴＰメッセージを、通信事業者ネットワークのＨｅ−ＧＷに送信する。インテリジェントなモバイルエッジ装置は、通信事業者ネットワークのＨｅ−ＧＷから、端末のダウンリンクＳ１ＡＰシグナリングが含まれるＳＣＴＰメッセージを受信し、かつ、ダウンリンクＳ１ＡＰシグナリングに含まれるＳ１ＡＰ ＩＤ識別子に基づき、端末に対応するスモールセルを決定し、また、ダウンリンクＳ１ＡＰシグナリングが含まれるＳＣＴＰメッセージをスモールセルに送信する。こうして、スモールセルは、複数の通信事業者のネットワークにアクセスして、異なる通信事業者の端末のためにネットワークサービスを提供することができるようになる。
【０１３２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１３３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１３４】
これらのコンピュータプログラム指令はまた、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１３５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１３６】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１３７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１３８】
本出願は、２０１６年６月２２日に中国特許局に提出し、出願番号が２０１６１０３１９７８５.８であり、発明名称が「Ｓ１ＡＰシグナリング伝送方法及び装置」との中国特許出願を基礎とする優先権を主張し、その開示のすべてをここに取り込む。
【図１】
2019519170.tif 000004
【図２】
2019519170.tif 000005
【図３】
2019519170.tif 000006
【図４】
2019519170.tif 000007
【国際調査報告】
2019519170.tif 000008
2019519170.tif 000009
2019519170.tif 000010
2019519170.tif 000011